(57)【要約】【課題】残存型枠を枠組する際に、形鋼の変形がなく、打設コンクリートの側圧にも充分耐え枠組状態を確保でき、且つ、残存型枠の全体に打設コンクリートが充填し、空洞を生じることがない残存型枠を提供することを目的とする。【解決手段】コンクリート製で四角形状のプレート本体と、該プレート本体内に埋設する網状体と、該網状体と固着すると共にプレート本体の裏面から一部露出する形鋼とから成り、且つ、形鋼は、その断面形状が略コの字状であり、プレート本体の左右あるいは上下の両端側に少なくとも２本を平行に配置し、形鋼の開口面側を網状体と固着させると共にプレート本体内に埋設し、平板部側をプレート本体の裏面から突出させ、形鋼の側面部に多数の貫通穴を穿設すると共に、平板部の両端側に多数のネジ用締着手段を設ける。【選択図】図１
0003148433.tif 000002
【実用新案登録請求の範囲】
【請求項１】
コンクリート製で四角形状のプレート本体（１）と、該プレート本体（１）内に埋設する網状体（２）と、該網状体（２）と固着すると共に前記プレート本体（１）の裏面（1a）から一部露出する形鋼（３）とから成り、且つ、前記形鋼（３）は、その断面形状が略コの字状であり、前記プレート本体（１）の左右の少なくとも両端側に、２本を平行に配置し、前記形鋼（３）の開口面（3a）側を前記網状体（２）と固着させると共に前記プレート本体（１）内に埋設し、平板部（3b）側を前記プレート本体（１）の裏面（1a）から突出させ、且つ、前記形鋼（３）の側面部（3d）に多数の貫通穴（3e）を穿設すると共に、該貫通穴（3e）は略半分を前記プレート本体（１）に埋設し、且つ、前記平板部（3b）に多数のネジ用締着手段（3c）を等間隔で設けたことを特徴とする残存型枠。
【請求項２】
前記ネジ用締着手段（3c）が、タッピンネジ用の下穴である請求項１記載の残存型枠。
【請求項３】
前記ネジ用締着手段（3c）が、ナットを装着させた請求項１記載の残存型枠。
【考案の詳細な説明】
【技術分野】
【０００１】
本考案はコンクリート製の構造物を施工する際に、そのものが構造物のコンクリート打設用の型枠として枠組され、打設コンクリートが固化後にコンクリート構造物の表面にそのまま残存するタイプの残存型枠に関する。
【背景技術】
【０００２】
従来、コンクリート製の構造物を施工する際に、構造物のコンクリート打設用の型枠として枠組し、打設コンクリートが固化後にコンクリート表面に固着し残存して型枠を取り外すことのないコンクリート製の残存型枠が知られている。この残存型枠を枠組する際に、並べて段積した残存型枠は上下及び左右の接続を連結金具で固定しながら行っていた。
【０００３】
そして、この残存型枠としては、コンクリート製のプレートであり、その内部に埋設した補強用の網状体と、該網状体に固着しプレートの裏面から断面Ｌ字状の一部を露出する溝形鋼であり、この溝形鋼は四角状に枠組させたものである。
【０００４】
この残存型枠を枠組する際に、簡単に連結金具でもって強固に連結可能とする残存型枠については本考案者が特開２００３−９６７９９号で提案したところである。この特開２００３−９６７９９号における残存型枠の構成は、露出する部分の形鋼がプレート本体の裏面と平行な平板部を有し、該平板部に多数のネジ用穴を穿設したものである。そして、このネジ用穴を利用し、段積した残存型枠を連結プレートで連結し確実な枠組を可能とするものであった。
【特許文献１】特開２００３−９６７９９号公報
【考案の開示】
【考案が解決しようとする課題】
【０００５】
しかしながら、前記特開２００３−９６７９９号の残存型枠においては、プレート本体の裏面から露出する形鋼の断面形状がＬ字状であり、その露出した平板部にネジ用穴を穿設させている。しかも、この平板部はプレート本体の裏面と平行で、その幅に対し片側の側面部のみで支持された片持状態のものである。従って、このような片側支持の平板部にネジ用穴を穿設した場合には、このネジ用穴を利用してプレート本体の枠組を行った後に、生コンクリートを打設すると、打設コンクリートの側圧が枠組したプレート本体に加わり、その側圧が支持棒，連結金具及びネジ用穴に螺合させたネジ等を介して平板部に作用する。すると、片持状態の平板部は側圧によりめくられて変形を起こし、枠組したプレート本体の全体がゆがんで波を打つ状態となる。その結果、打設コンクリートが流出したり、コンクリート固化後の構造物の表面がゆがんだりし見栄えの悪いものとなる等の問題点を有していた。また上記の問題点を解消するのに使用する形鋼の厚さを増加させればよいが、この場合には、残存型枠全体の重量が増加し、運搬や枠組作業に支障をきたし、製造コスト的にも不利となる等の問題点が残る。また、形鋼が四角状に枠組されているため、打設コンクリートが四角状に囲まれた形鋼の枠内に完全に充填されず、これによりコンクリート構造物内に空洞が生じ、コンクリート構造物に弱い部分が存在すると共に、施工現場で枠組する際に構造物の形状に合せてプレート本体を切断する場合にも、形鋼が四角状に枠組されているため、形鋼をも切断しなければならず、プレート本体の切断に時間を要する等の問題点を有していた。
【０００６】
本考案は上記の問題点に鑑み、残存型枠を枠組する際に、軽溝形鋼を使用しても形鋼の変形がなく、打設コンクリートの側圧にも充分耐え枠組状態を確保でき、且つ、残存型枠の全体に打設コンクリートが充填し、コンクリート内に空洞を生じることがない残存型枠を提供することを目的とする。
【０００７】
本考案の他の目的は、施工現場でのプレート本体の切断が簡単となる残存型枠を提供することである。
【課題を解決するための手段】
【０００８】
本考案の残存型枠は、コンクリート製で四角形状のプレート本体（１）と、該プレート本体（１）内に埋設する網状体（２）と、該網状体（２）と固着すると共に前記プレート本体（１）の裏面（1a）から一部露出する形鋼（３）とから成る。しかも、前記形鋼（３）は、その断面形状が略コの字状であり、前記プレート本体（１）の左右の少なくとも両端側に、２本を平行に配置し、前記形鋼（３）の開口面（3a）側を前記網状体（２）と固着させると共に前記プレート本体（１）内に埋設し、平板部（3b）側を前記プレート本体（１）の裏面（1a）から突出させ、且つ、前記形鋼（３）の側面部（3d）に多数の貫通穴（3e）を穿設すると共に、該貫通穴（3e）は略半分を前記プレート本体（１）に埋設し、且つ、前記形鋼（３）の平板部（3b）に多数のネジ用締着手段（3c）を等間隔で設けることを特徴とする。
【０００９】
前記ネジ用締着手段（3c）が、タッピンネジ用の下穴であるとよい。
【００１０】
前記ネジ用締着手段（3c）が、ナットを装着させるのが好ましい。
【考案の効果】
【００１１】
本考案は、形鋼（３）がプレート本体（１）の左右の少なくとも両端側に、２本を平行に配置したことにより、枠組した状態での打設コンクリートが形鋼（３）の配置されていないプレート本体（１）の上下方向から容易に流入し、プレート本体（１）の裏面全域にわたって流入され、打設コンクリートとプレート本体（１）の裏面との密着性が極めて高く、内部に空洞が発生することもない。また、形鋼（３）を平行に配置し、従来のように四角状に枠組されていないため、プレート本体（１）を施工現場で構造物の形状に合せて切断する際に、形鋼（３）を切断することなくプレート本体（１）を切断することができ、切断に要する手間が掛からず枠組が簡単となる。
【００１２】
本考案は、断面形状が略コの字状の形鋼（３）が、開口面（3a）側を網状体（２）と固着させてプレート本体（１）内に埋設し、平板部（3b）側をプレート本体（１）の裏面（1a）から突出させたことにより、突出した平板部（3b）は両側面部（3d）で両端支持された状態であるから、平板部（3b）に設けたネジ用締着手段（3c）の部分がコンクリート打設時に強く引張られても、平板部（3b）の変形が起こり難い。従って、形鋼（３）は軽量形鋼が使用できるので残存型枠全体の軽量化を可能とし、且つ、コンクリート打設時に平板部（3b）の変形がないため、枠組した残存型枠表面が波打つようなことを防止できる。
【００１３】
又、形鋼（３）の側面部（3d）に多数の貫通穴（3e）を穿設したことにより、枠組した形鋼（３）の内部に打設コンクリートが充填され、プレート本体（１）と構造物との結合性を高めると共に形鋼（３）の強度も増す。
【００１４】
更に、穿設させた貫通穴（3e）は、その一部をプレート本体（１）内に埋設させることができ、その場合には、プレート本体（１）と形鋼（３）との結合が強固となり、形鋼（３）が引張られても抜け防止の役目を成し、且つ、プレート本体（１）から露出した部分の貫通穴（3e）には打設コンクリートが入り込むため、プレート本体（１）と構造物との結合性も高くなる。
【００１５】
又、ネジ用締着手段（3c）が、タッピンネジ用の下穴にすることにより、ネジ用締着手段（3c）の加工が容易であると共に、枠組の際にプレート本体（１）の連結固定でタッピンネジが使用でき枠組の作業性を高める。
【００１６】
又、ネジ用締着手段（3c）が、ナットを装着したものは、ボルトの使用ができ、プレート本体（１）の枠組において、強固な枠組ができる。
【考案を実施するための最良の形態】
【００１７】
以下、本考案の実施形態を図を基に説明する。図１は本考案の残存型枠を示す全体斜視図、図２は本考案の網状体と形鋼を示す斜視図、図３は本考案の断面図、図４は本考案の使用状態を示す部分説明図、図５は本考案のネジ用締着手段がナットを示す説明図である。
【００１８】
以下図１〜図３に基づき本考案の実施形態を説明する。先ず以下図において、（１）はコンクリート製のプレート本体である。このプレート本体（１）は一定の厚さと面積でコンクリートを硬化させたプレート状のものであり、前記コンクリートとしては一般のポルトランドセメントに適量の砂等の骨材を混入させ硬化したもの、あるいは単にレジンコンクリートや特殊シリカセメントだけで硬化したもの等を多く使用するが、硬化したコンクリートに低粘度のビニール系モノマーを含浸、重合させたり、コンクリートに金属短繊維を混入し硬化させ、その中に低粘度のビニール系ポリマーを含浸、重合して耐久性及び機械的強度を著しく向上させたものを用いてもよい。又、プレート本体（１）の表面は見栄えを良くするために、通常は擬石風の化粧仕上を施して化粧部（1b）が形成されるが、使用場所によっては化粧仕上が必要ないので化粧部（1b）を形成しないこともある。尚、プレート本体（１）の側面全周には、段積する際に重ね部分から打設コンクリートが漏れ出すのを防止するためコーキング剤を注入するこの溝（1c）を設けるとよい。
【００１９】
（２）はプレート本体（１）の内部に全部が埋設された網状体であり、該網状体（２）はプレート本体（１）を補強するためのものである。また前記網状体（２）には表面処理した金網，抜穴金網板が用いられ、特にエキスパンドメタルが特有な網目形状からして強度的な面、プレート本体（１）との結合性及び安価の面で使用するのが好ましい。又、網状体（２）の表面処理としてはメッキ処理，塗装処理等を施す。この時、ダブルコートカチオン電着塗装を施すと、防錆効果が極めて高く特に好ましいものとなる。尚、このダブルコートカチオン電着塗装とは、従来のカチオン電着塗装を２回行う塗装方法であり、これは従来１回のカチオン電着塗装では塗装される物の塗面の平滑性を求めるとエッジ部の塗装がされず、この耐エッジ部の防食性と塗面平滑性を解消するための塗装方法である。即ち、第１回の電着では耐エッジ防食性だけの機能を持たせ、それによって生じる塗面平滑性の低下は第２回の電着によってカバーしようとするものである。このダブルコートカチオン電着塗装では、網状体（２）がエキスパンドメタルである場合に、そのエッジ部が特に多いため、そのエッジ部の塗装を良く行える極めて有効な防錆効果であり、耐久性を高める。
【００２０】
（３）は断面コの字状の軽溝形鋼を用い、プレート本体（１）の左右の両端側に２本を平行に配置した形鋼であり、図２に示すように、この形鋼（３）の開口面（3a）側を網状体（２）に固着可能に枠組させている。そして、この形鋼（３）は開口面（3a）側で網状体（２）に溶接して固着させ、この網状体（２）全体と形鋼（３）の略半分がプレート本体（１）内に埋設され、形鋼（３）の他の部分はプレート本体（１）の裏面（1a）から突出させる。その突出した平板部（3b）は、プレート本体（１）の裏面（1a）と平行な面であり、両側面部（3d）で支持された状態となる。又、両側面部（3d）は互いに平行なものとは限らず、網状体（２）側に向って開いた状態のものでもよい。尚、形鋼（３）はプレート本体（１）の両端側に２本を平行に配置しているが、この２本の外にプレート本体（１）の大きさに応じて中間に他の形鋼（３）を追加させてもよい。この場合にも、追加した形鋼（３）は両端側の形鋼（３）と平行させるのが好ましい。
【００２１】
又、形鋼（３）の両側面部（3d）には、図１，２に示すように、多数の貫通穴（3e）を穿設させている。この貫通穴（3e）は露出した形鋼（３）の内部が空洞であるため、この形鋼（３）の内部に打設コンクリートを充填させて形鋼（３）の全体強度を高め、且つ、形鋼（３）の全体がコンクリートで包まれることにより、形鋼（３）の防錆と打設コンクリートとの結合性を高める役目を成す。
【００２２】
更に、この貫通穴（3e）は、図３，４に示すように、略半分をプレート本体（１）に埋設させるのが好ましい。この場合にはプレート本体（１）と形鋼（３）との結合が強固となり、コンクリート打設後の構造物との結合性も高く、構造物の表面に固着したプレート本体（１）が形鋼（３）を残して脱落することを防止できる。
【００２３】
更に形鋼（３）のプレート本体（１）から露出する平板部（3b）には、ネジ用締着手段（3c）を設けている。このネジ用締着手段（3c）とはボルト、タッピンネジ等のネジ類が螺合するためのものであり、ネジ溝を形成したナットの装着あるいはタッピンネジ用の下穴を含む。そしてこのネジ用締着手段（3c）は、図１，２に示すように、平板部（3b）の全長にわたって等間隔で多数設けている。そして上記タッピンネジ用の下穴を穿設する場合には、図４に示すようにツバ出し加工を施すと下穴が長くでき、タッピンネジ（５）によるネジ溝も多くなり好ましく、連結金具（４）を使用してプレート本体（１）を連結する際に、タッピンネジ（５）と下穴であるネジ用締着手段（3c）との螺合が強固なものとなり、プレート本体（１）を確実な強度で枠組することができる。
【００２４】
又、図５に示すようにネジ用締着手段（3c）がナットであり、このナットは形鋼（３）のバカ穴を穿設した平板部（3b）の裏面に溶着させている。この場合にはボルトが使用でき、より強固な枠組ができる。
【図面の簡単な説明】
【００２５】
【図１】本考案の残存型枠を示す全体斜視図である。
【図２】本考案の網状体と形鋼を示す斜視図である。
【図３】本考案の断面図である。
【図４】本考案の使用状態を示す部分説明図である。
【図５】本考案のネジ用締着手段がナットを示す説明図である。
【符号の説明】
【００２６】
１  プレート本体
1a  裏面
２  網状体
３  形鋼
3a  開口面
3b  平板部
3c  ネジ用締着手段
3d  側面部
3e  貫通穴
【図１】
0003148433.tif 000003
【図２】
0003148433.tif 000004
【図３】
0003148433.tif 000005
【図４】
0003148433.tif 000006
【図５】
0003148433.tif 000007